(57)【要約】  フロントパネルに複雑な加工を施すことなく、電装箱に設けた操作部材の誤操作を防止する。  筐体１１の機械室１４と対応する前部に形成した開口部は、フロントパネル２０で塞がれる。フロントパネル２０に、吸込用ルーバ２５と吐出用ルーバ２６が形成される。フロントパネル２０における吸込用ルーバ２５の形成位置より上側に、フィルタ３４が挿脱される挿脱口２８が開設される。フィルタ３４の上部に、挿脱口２８に嵌り込んで閉成する基部３８が形成される。機械室１４に配設した電装箱４２の前面に、電源スイッチ４３やサービススイッチ４４が設けられる。電装箱４２における電源スイッチ４３やサービススイッチ４４の配設部は、挿脱口２８の後方に臨む。フロントパネル２０にフィルタ３４を取付けた際に、基部３８によって電源スイッチ４３やサービススイッチ４４の前側が覆われる。
2008038341.tif 000002
【特許請求の範囲】
【請求項１】
筐体(11)の内部に画成した機械室(14)に凝縮器(17)等からなる冷却機構(13)が配設されると共に、前記筐体(11)における機械室(14)と対応する前部に開設した開口部(11a)を塞ぐフロントパネル(20)に吸込部(25)が設けられ、該吸込部(25)を介して機械室(14)内に吸込んだ外部空気を前記凝縮器(17)に接触させて熱交換を行なうようにした装置において、
前記冷却機構(13)を制御する電気部品を収容した電装箱(42)を、前記フロントパネル(20)における吸込部(25)の形成位置より上部において前後方向に貫通するよう開設された挿脱口(28)の後側に該電装箱(42)の前面に設けた操作部材(43,44)が臨むように前記機械室(14)に配置し、
前記挿脱口(28)に対して挿脱可能で、前記フロントパネル(20)の前側から該挿脱口(28)を介して後側へ挿入された際に、前記吸込部(25)の後面を覆うフィルタ(34)に、前記挿脱口(28)を閉成して前記操作部材(43,44)の前側を覆う基部(38)が設けられている
ことを特徴とする冷却機構を備えた装置。
【請求項２】
前記電装箱(42)の前面には、前記操作部材(43,44)の上方において前方に延出する庇部(45)が幅方向に所定長さで設けられ、該庇部(45)の上面(45a)は、前方に向かうにつれて上方傾斜している請求項１記載の冷却機構を備えた装置。
【請求項３】
前記フロントパネル(20)の上壁(29)における前部には、前記挿脱口(28)と同一幅寸法で後側に凹むと共に上下および前側に開放する凹部(29a)が設けられている請求項１または２記載の冷却機構を備えた装置。
【請求項４】
前記フィルタ(34)は、前面が内周側となる弧状に形成されると共に、該フィルタ(34)の前面下端に、下端から上方に向かうにつれて前側に傾斜するよう突出する防止片(41)が設けられている請求項１〜３の何れか一項に記載の冷却機構を備えた装置。
【発明の詳細な説明】
【技術分野】
【０００１】
この発明は、筐体に内部画成した機械室に、冷却機構および該冷却機構を制御する各種電気部品を収容した電装箱を配設した冷却機構を備えた装置に関するものである。
【背景技術】
【０００２】
製氷機や冷蔵庫等では、筐体に内部画成した機械室に、製氷部あるいは庫内を冷却するための冷却機構が配設されている。冷却機構は、圧縮機、凝縮器、キャピラリーチューブ、蒸発器等から基本的に構成され、前記凝縮器としては、機械室に配設した冷却ファンにより強制空冷して冷媒との間で熱交換を行なう空冷式のものが採用されている。【０００３】
前記空冷式の凝縮器の熱交換に関連する構造を簡単に説明すると、製氷機や冷蔵庫等の本体をなす筐体の前部には、内部画成した機械室と対応する位置に開口部が大きく開設され、この開口部はフロントパネルにより開閉可能に塞がれるようになっている。フロントパネルには、空気吸込口と空気吐出口とが設けられ、機械室に配設された冷却ファンを回転させて空気吸込口から吸込んだ外部空気を、凝縮器に接触させて熱交換を行なった後、空気吐出口を介して外部に吐出している。この場合に機械室には、空気と共に各種塵埃も前記空気吸込口を介して吸込まれ、これら塵埃の一部は凝縮器の外面に経時的に付着堆積する。この結果として、凝縮器での熱交換効率を低下させオーバーヒート等による故障の原因となる。【０００４】
そこで、前記フロントパネルにおける空気吸込口と対応する位置に、塵埃捕集用のフィルタを着脱自在に取付け得るようにフロントパネルを加工し、該パネルに取付けたフィルタによって空気中に含まれる塵埃を凝縮器に接触する前に除去する構成が採用されている(例えば、特許文献１参照)。【０００５】
前述した冷却機構を備えた装置では、該冷却機構を制御する各種電気部品を収容した電装箱が機械室に配置されている(例えば、特許文献２参照)。特許文献２に記載の装置では、電装箱の前面に、庫内温度を表示する表示部や、設定温度を入力するための操作盤等が設けられ、該電装箱の前面は、フロントパネルに開口された窓部に臨んで、操作盤等を前側から簡単に操作し得るように構成されている。
【特許文献１】特開２０００−３０４４１４号公報
【特許文献２】特開２００５−１５６０９６号公報
【発明の開示】
【発明が解決しようとする課題】
【０００６】
前記電装箱には、主電源用のスイッチや修理・点検等のサービスを行なうスイッチ等、通常の運転中には操作しない操作部材も配設されている。前記特許文献２のように電装箱の前面が露出している構造においては、装置の前側で他の作業を行なっている作業者自身、あるいは物が前記操作部材に接触して不用意に操作されてしまうおそれがある。従って、意図しない操作を防止するため、フロントパネルに開設した窓部を開閉自在に閉成する開閉扉を設けて、常には電装箱の前面を被覆することが必要となる。すなわち、前述したようにフィルタを取付けるための加工とは別に、開閉扉を設けるための加工をフロントパネルに施さなければらなず、該パネルの構造が複雑になると共に、加工工数が増加して製造コストが嵩む難点を招く。【０００７】
そこで本発明は、従来技術に係る冷却機構を備えた装置に内在する前記課題に鑑み、これを好適に解決するべく提案されたものであって、フロントパネルに複雑な加工を施すことなく、電装箱に設けられた操作部材の誤操作を防止し得る冷却機構を備える装置を提供することを目的とする。
【課題を解決するための手段】
【０００８】
前記課題を克服し、所期の目的を好適に達成するため、本願の請求項１の発明に係る冷却機構を備えた装置は、
筐体の内部に画成した機械室に凝縮器等からなる冷却機構が配設されると共に、前記筐体における機械室と対応する前部に開設した開口部を塞ぐフロントパネルに吸込部が設けられ、該吸込部を介して機械室内に吸込んだ外部空気を前記凝縮器に接触させて熱交換を行なうようにした装置において、
前記冷却機構を制御する電気部品を収容した電装箱を、前記フロントパネルにおける吸込部の形成位置より上部において前後方向に貫通するよう開設された挿脱口の後側に該電装箱の前面に設けた操作部材が臨むように前記機械室に配置し、
前記挿脱口に対して挿脱可能で、前記フロントパネルの前側から該挿脱口を介して後側へ挿入された際に、前記吸込部の後面を覆うフィルタに、前記挿脱口を閉成して前記操作部材の前側を覆う基部が設けられていることを特徴とする。
請求項１の発明によれば、フロントパネルに対するフィルタ取付け用の挿脱口の後側に臨む電装箱における操作部材の前側を、フロントパネルに取付けたフィルタの基部で覆って、操作部材の誤操作を防止することができる。すなわち、操作部材を操作するための開口部や開閉扉をフロントパネルに設ける必要はなく、該パネルの構成を簡略化して製造コストを低廉に抑えることができる。【０００９】
請求項２の発明では、前記電装箱の前面には、前記操作部材の上方において前方に延出する庇部が幅方向に所定長さで設けられ、該庇部の上面は、前方に向かうにつれて上方傾斜していることを要旨とする。
請求項２の発明によれば、電装箱の前面に上方から垂れてきた結露水等が、操作部材の配設部に至るのを庇部で阻止することができ、該配設部から水が箱内に侵入して電気部品の腐食や漏電等が発生するのを防止し得る。【００１０】
請求項３の発明では、前記フロントパネルの上壁における前部には、前記挿脱口と同一幅寸法で後側に凹むと共に上下および前側に開放する凹部が設けられていることを要旨とする。
請求項３の発明によれば、挿脱口の上部前側に凹部が形成されているから、該挿脱口に対するフィルタの斜め上方からの挿入および斜め上方への引き抜きを容易に行なうことができる。【００１１】
請求項４の発明では、前記フィルタは、前面が内周側となる弧状に形成されると共に、該フィルタの前面下端に、下端から上方に向かうにつれて前側に傾斜するよう突出する防止片が設けられていることを要旨とする。
請求項４の発明によれば、フィルタを挿脱口から挿入する際に、該フィルタの下端が吸込部に引掛かるのを防止片で防止してスムーズな挿入を達成し得る。
【発明の効果】
【００１２】
本発明に係る冷却機構を備える装置によれば、フロントパネルに複雑な加工を施すことなく、電装箱に設けた操作部材の誤操作を防止することができる。
【図面の簡単な説明】
【００１３】
【図１】実施例に係る製氷機の正面図である。
【図２】実施例に係る製氷機を、フロントパネルからフィルタを取外した状態で示す要部正面図である。
【図３】実施例に係る製氷機を、筐体からフロントパネルを取外した状態で示す要部正面図である。
【図４】実施例に係るフロントパネルとフィルタおよび電装箱との関係を示す要部側断面図である。
【図５】実施例に係る筐体とフロントパネルとの関係を示す要部側断面図である。
【図６】実施例に係るフロントパネルを、フィルタを取付けた状態で示す側断面図である。
【図７】実施例に係るフロントパネルの平面図である。
【図８】実施例に係るフィルタの正面図である。
【図９】実施例に係るフィルタの側面図である。
【符号の説明】
【００１４】
１１ 筐体，１１ａ 開口部，１３ 冷却機構，１４ 機械室，１７ 凝縮器
２０ フロントパネル，２５ 吸込用ルーバ(吸込部)，２８ 挿脱口，２９ 上壁
２９ａ 凹部，３４ フィルタ，３８ 基部，４１ 防止片，４２ 電装箱
４３ 電源スイッチ(操作部材)，４４ サービススイッチ(操作部材)，４５ 庇部
４５ａ 上傾斜面(上面)
【発明を実施するための最良の形態】
【００１５】
次に、本発明に係る冷却機構を備えた装置につき、好適な実施例を挙げて、添付図面を参照して以下に説明する。なお、実施例では冷却機構を備えた装置として製氷機を挙げて説明するが、該装置としては製氷機に限られるものではなく、冷蔵庫や冷凍庫等、冷却機構を備えるものであればよい。また、以下の説明において、前・後および左・右とは、特に断りのない限り、図１に示すように製氷機を正面側から見た場合において指称するものとする。
【実施例】
【００１６】
図１に示す如く、実施例に係る製氷機１０は、その本体をなす筐体１１の内部に、製氷機構(図示せず)で製造された氷塊を貯蔵するための貯氷室１２と、冷却機構１３を収納する機械室１４とが上下の関係で画成されている。上側に位置する貯氷室１２と対応する筐体１１の前面には、該筐体１１に開設された開口と対応する矩形状の開口部１５ａが形成された前カバー部材１５が配設され、該開口部１５ａを介して氷塊が取出されるようになっている。また筐体１１には、前カバー部材１５の開口部１５ａを閉閉自在な扉１６が配設してある。なお、前カバー部材１５は、後側に開放する矩形箱状に成形され、その下板１５ｂには、図３に示す如く、幅方向(図の左右方向)に離間して一対の係止孔１５ｃ,１５ｃが上下に貫通するよう形成されている。【００１７】
前記筐体１１の下側に画成された前記機械室１４には、図３に示す如く、冷却機構１３を構成する空冷式の凝縮器１７、冷却ファン(図示せず)および圧縮機１８が、機械室１４の底部を構成する台板１９上に左側から右側に向けて順に配置されている。筐体１１の機械室１４と対応する前部には、前方に開放する矩形状の開口部１１ａが形成され、該開口部１１ａは、ルーバ付きパネルとしてのフロントパネル２０により開閉可能に塞がれるよう構成されている。筐体１１を構成する左右の側板２１,２１における機械室１４と対応する前部の夫々には、図３に示すように、内側(他方の側板側)に向けて直角に折曲された前面部２１ａが形成される。また、筐体１１を構成する前板２２が、前カバー部材１５の下板１５ｂより下方に所定長さで延出するように配設されている(図３および図４参照)。そして、図３に示すように、前板２２、両前面部２１ａ,２１ａおよび台板１９により、前記開口部１１ａが画成されるようになっている。なお、前記台板１９には、図３または図５に示す如く、前側に所定長さで延出する支持板２３が配設されると共に、該支持板２３には、幅方向に離間して一対の係合片２３ａ,２３ａが上方に向けて折曲形成されている。【００１８】
前記フロントパネル２０は、後側に開放する矩形箱状に成形され、その外径寸法は前記筐体１１の開口部１１ａを覆い得る寸法に設定されている。このフロントパネル２０の内部には、図７に示す如く、その幅方向の略中央を挟んで左右に離間する位置に一対の仕切壁２４,２４が、該フロントパネル２０の上下方向の全長に亘って形成されている。そして、左側の仕切壁２４より左側に位置するフロントパネル２０の前面部に、空気吸込部として機能する吸込用ルーバ２５が形成されると共に、右側の仕切壁２４より右側に位置するフロントパネル２０の前面部に、空気吐出部として機能する吐出用ルーバ２６が形成されている(図１および図２参照)。なお、吸込用ルーバ２５および吐出用ルーバ２６は、何れも図１または図６に示すように、幅方向に延在する複数の羽根板２７を上下方向に離間して設けることで複数の吸込口または吐出口を画成したものであって、各羽根板２７は、前側から後側に向かうにつれて上方傾斜している。【００１９】
前記フロントパネル２０における吸込用ルーバ２５の形成位置より上側の左前面部には、図２に示す如く、吸込用ルーバ２５の幅寸法と同一の幅寸法で挿脱口２８が前後方向に貫通するように開設され、該挿脱口２８を介して後述するフィルタ３４がフロントパネル２０の後側に、前側から着脱可能に取付けられるよう構成される。またフロントパネル２０の上壁２９における前部には、図６および図７に示す如く、前記挿脱口２８の形成位置に対応して、該挿脱口２８と同一幅で後側に凹む凹部２９ａが形成されている。この凹部２９ａは、上下および前側に開放して、挿脱口２８と連通している。なお、フロントパネル２０を筐体１１に配設した際に、挿脱口２８は前記前板２２の前側に臨むよう位置決めされている。【００２０】
前記左側の仕切壁２４およびフロントパネル２０の左側壁３０の対向面の夫々には、図４に示す如く、前記フロントパネル２０における挿脱口２８の後側に位置して、上端から下端に向かうにつれて挿脱口２８から後側に離間する弧状に傾斜する第１案内部３１が形成されている。また、左側の仕切壁２４および左側壁３０の対向面の夫々には、前記羽根板２７の後端から後方に所定間隔離間すると共に対応する第１案内部３１の下方位置に、上下方向に離間して複数の第２案内部３２が形成されている。なお、複数の第２案内部３２は、図６に示すように、第１案内部３１がなす弧の延長線上に整列するように位置しており、これら第１案内部３１および第２案内部３２により、前記挿脱口２８に前側から挿入されるフィルタ３４の幅方向両端を下方に向けて当接案内するよう構成される。また、前記第１案内部３１の前面がなす弧の延長線上に、前記上壁２９に設けた凹部２９ａの前面が臨んでいる。【００２１】
前記フロントパネル２０の上壁２９における上面には、前記前カバー部材１５に設けた各係止孔１５ｃと対応する位置に、上下方向に弾性変形可能な係止爪２９ｂが設けられている(図７参照)。またフロントパネル２０の下壁３３には、前記筐体１１に設けた係合片２３ａと対応する位置に、上下方向に貫通する係合孔３３ａが穿設されている(図５参照)。そして、フロントパネル２０の各係合孔３３ａに、前記筐体１１の対応する係合片２３ａを挿通係合させた状態で、フロントパネル２０の各係止爪２９ｂを、前カバー部材１５の対応する係止孔１５ｃに係止することで、フロントパネル２０が開口部１１ａを閉成する状態で筐体１１に位置決め固定される(図４および図５参照)。【００２２】
図１および図２に示す如く、前記筐体１１にフロントパネル２０を取付けた際に、前記前カバー部材１５の下面(下板１５ｂ)と、フロントパネル２０の上面(上壁２９)との間に隙間Ｓが画成される。そして、フロントパネル２０と前カバー部材１５との間に、該隙間Ｓを介して前側からマイナスドライバー等の工具を挿入して、前記係止孔１５ｃに対する係止爪２９ｂの係止状態を解除し得るよう構成されている。なお、前記隙間Ｓの上下寸法は、手指が入らない寸法に設定されており、フロントパネル２０を工具を用いることなく簡単には取外しできないように構成して、不必要な機械室内へのアクセスを抑制し得るようにしてある。【００２３】
塵埃捕集用のフィルタ３４は、図８および図９に示す如く、略矩形状に成形された弾性変形可能な合成樹脂製の本体３５に矩形状の開口部３５ａが形成されると共に、該開口部３５ａを複数に仕切るように縦横に桟材３６,３６が交差する状態で形成される。この本体３５には、所定メッシュの網体３７が、開口部３５ａの全面を覆うように張設されている。また本体３５の幅寸法は、前記フロントパネル２０の挿脱口２８に挿脱可能な寸法に設定されると共に、その上下寸法は、フィルタ３４を挿脱口２８を介してフロントパネル２０の後側に挿入した際に、該本体３５の下端が前記下壁３３の下端近傍に臨み、前記全ての吸込用ルーバ２５から吸込まれる空気中に含まれる塵埃を除去し得る寸法に設定される(図６参照)。【００２４】
前記フィルタ３４の本体３５における開口部３５ａが形成される部位より上側には、図９に示す如く、前方に突出する基部３８が形成され、該基部３８の上下方向略中央に、後側に凹む窪み部３８ａが形成されている。基部３８の外形寸法および形状は、前記フロントパネル２０における挿脱口２８に嵌り込んで閉成し得るよう設定されており、本体３５をフロントパネル２０の裏側に挿入した状態で、基部３８が挿脱口２８内に嵌り込むことにより、当該フィルタ３４がフロントパネル２０に位置決め保持されるようになっている。なお、フロントパネル２０にフィルタ３４を取付けた状態で、前記基部３８の上端はフロントパネル２０の上面より下方に臨むと共に、該基部３８の上部が、フロントパネル２０の上壁２９に形成した凹部２９ａ内に臨むよう設定されている。また本体３５は、図６および図９に示す如く、その前面が内周側となる弧状に湾曲形成されており、当該フィルタ３４の前記挿脱口２８に対する挿脱を容易に行ない得るようになっている。前記基部３８における前面上部の幅方向中央には、手指を掛けるための手掛け部３８ｂが前方に膨出するように形成してある。【００２５】
前記フィルタ３４の本体３５を構成する左右両側の枠材３５ｂ,３５ｂおよび上下方向に延在する桟材３６の前後面には、図８および図９に示す如く、上下方向に延在する突条３９,４０が形成されている。また、本体３５における左右両側の各枠材３５ｂに形成された前側の突条３９の下端部には、前方に突出する防止片４１が夫々形成されている。この防止片４１の前面には、図６および図９に示す如く、下端から上方に向かうにつれて前方に突出するように傾斜する傾斜面４１ａが形成されている。そして、フィルタ３４をフロントパネル２０の後側に挿入するに際し、フィルタ３４の下端部が吸込用ルーバ２５における上下の羽根板２７,２７で画成される吸込口に入り込むのを、該防止片４１,４１により防止するようになっている。なお、防止片４１における傾斜面４１ａの延在長は、上下の羽根板２７,２７の離間長より長く設定されている。【００２６】
前記筐体１１の前板２２には、前記冷却機構１３の運転制御を行なうマイコンボード等の電気部品を収容した電装箱４２が配設されている。この電装箱４２の前面には、内部の電気部品を操作するための操作部材としての電源スイッチ４３やサービススイッチ４４が設けられ、該電源スイッチ４３やサービススイッチ４４を前側から操作し得るよう構成される。電装箱４２における電源スイッチ４３やサービススイッチ４４の配設部は、図２および図４に示す如く、前記フロントパネル２０における挿脱口２８の後側に臨むよう位置決めされて、挿脱口２８を介して電源スイッチ４３やサービススイッチ４４を操作し得るようになっている。そして、フロントパネル２０に前記フィルタ３４を取付けた際には、該フィルタ３４の前記基部３８によって電源スイッチ４３やサービススイッチ４４の前側が覆われるようにしてある。【００２７】
図３に示す如く、前記電装箱４２の前面における上側の外周囲(操作部材の配設部より上方)に、前方に延出する庇部４５が幅方向に所定長さで設けられると共に、電装箱４２の前面における左右両側の外周囲に、庇部４５の左右端部に連通して前方に延出する遮蔽部４６,４６が設けられ、これら庇部４５および遮蔽部４６,４６によって、前記電装箱４２における電源スイッチ４３やサービススイッチ４４の配設部に結露水等が侵入するのを防止するようにしてある。また庇部４５の上面は、図４に示す如く、前記前板２２の前面から前方に向かうにつれて上方傾斜する上傾斜面４５ａとされ、前板２２の前面を流下する結露水等が電源スイッチ４３やサービススイッチ４４の配設部に流下するのを確実に防止するようになっている。更に、庇部４５の前端には、該庇部４５の下面から垂下する水切部４５ｂが形成され、庇部４５の前面に結露水等が付着した際に、該結露水等が電源スイッチ４３やサービススイッチ４４の配設部側に伝わらないよう構成される。なお、庇部４５における電装箱４２の前面からの突出寸法は、前記電源スイッチ４３やサービススイッチ４４の電装箱前面からの突出寸法より大きく設定される。【００２８】
〔実施例の作用〕
次に、実施例に係る製氷機の作用について、以下説明する。【００２９】
先ず、前記フロントパネル２０およびフィルタ３４の取付けおよび取外しの手順に関して説明する。
図３に示す如く、前記筐体１１に前カバー部材１５が配設された状態において、該筐体１１にフロントパネル２０を取付ける際には、該フロントパネル２０における下壁３３に形成した係合孔３３ａに、前記台板１９に配設した支持板２３の対応する係合片２３ａを挿入する(図５参照)。次いで、フロントパネル２０の上端部を筐体１１の前面に近接することで、該フロントパネル２０の上壁２９は、該上壁２９に設けた各係止爪２９ｂが下方に弾性変形しつつ前カバー部材１５の下側に入り込む。そして、前カバー部材１５の下板１５ｂに形成した各係止孔１５ｃに、対応する係止爪２９ｂが弾性復帰により係止することで(図４参照)、フロントパネル２０は筐体１１に、開口部１１ａを閉成した状態で取付けられる(図２の状態)。このとき、フロントパネル２０に設けた挿脱口２８の後側に、前記電装箱４２の前面に設けた電源スイッチ４３やサービススイッチ４４が臨む。【００３０】
前記筐体１１に取付けられたフロントパネル２０に対し、その前側から前記挿脱口２８を介してフィルタ３４を本体３５の下端側から挿入する。このとき、フィルタ３４における幅方向両側の下端が、前記第１案内部３１,３１に当接することで下方に向けて確実に案内され、該フィルタ３４が機械室内に挿入されてしまうことはない。また第１案内部３１,３１により下方に案内されるフィルタ３４は、その左右の側部が、前記第２案内部３２,３２に当接案内され、該フィルタ３４はフロントパネル２０の後側において全ての吸込用ルーバ２５を覆う位置に確実に挿入される。しかも、フィルタ３４の本体３５は湾曲すると共が弾性変形可能であるから、フロントパネル２０の後側への挿入作業は円滑に行ない得る。そして、前記基部３８が挿脱口２８に嵌り込むことで(図６参照)、当該フィルタ３４のフロントパネル２０に対する取付け作業が完了する(図１の状態)。【００３１】
ここで、前記挿脱口２８が前方にのみ開放している場合には、該挿脱口２８に対してフィルタ３４を挿入する際に、該フィルタ３４と前カバー部材１５の前面とのなす挿入角度を大きくしなければならず、フィルタ３４の下端が前記第１案内部３１に当接して下方に案内される際の抵抗が大きくなる。しかるに、実施例では図４に示す如く、前記挿脱口２８は、上壁２９に形成した凹部２９ａを介して上方にも開放しているから、該挿脱口２８に対してフィルタ３４を挿入する際の挿入角度を小さくすることができ、挿入時の抵抗を小さくして円滑な挿入を行ない得る。しかも、凹部２９ａの前面、第１案内部３１の前面および第２案内部３２の前面は、図６に示すように略同一の弧の延長線上に位置しているから、フィルタ３４のより円滑な挿入案内を達成し得る。【００３２】
また、前記フロントパネル２０に対するフィルタ３４の挿入作業に際し、該挿入作業を容易化するために前記本体３５を前面が内周側となるよう湾曲形成していることから、該フィルタ３４の挿入途中に、下端が前側に移動して前記上下の羽根板２７,２７の間の吸込口に入り込むおそれがある。この場合において、実施例のフィルタ３４における左右両側の下端前面に防止片４１,４１が形成されているから、フィルタ下端が前側に移動した際には、該防止片４１,４１における傾斜面４１ａ,４１ａが羽根板２７の後端に当接する。この状態で更にフィルタ３４を挿入すると、防止片４１,４１の傾斜面４１ａ,４１ａが羽根板２７の後端に当接しつつフィルタ３４の下端が後方に移動する。すなわち、フィルタ３４の挿入作業に際し、該フィルタ３４の下端が吸込口に入り込むのを防止片４１,４１で防止して、スムーズな挿入作業を行ない得る。【００３３】
前記機械室１４に配設した冷却ファンを回転させると、外部空気が前記吸込用ルーバ２５およびフィルタ３４を通って機械室１４内に吸込まれる。この空気は、前記凝縮器１７に空気吸込側から吸込まれて熱交換を行なった後、冷却ファンから前記圧縮機１８に向けて吹出され、該圧縮機１８との間で熱交換した後に、前記吐出用ルーバ２６から外部に排出される。【００３４】
前記機械室１４に配設された前記電装箱４２の電源スイッチ４３やサービススイッチ４４は、前記フィルタ３４の基部３８によって前側が覆われているから、前記製氷機１０の前側で所要の作業を行なっている作業者自身、あるいは物が接触して誤操作されることはない。また、前記電源スイッチ４３やサービススイッチ４４の操作が必要なときには、前記フィルタ３４を前記挿脱口２８から引き抜けば、図２に示すように挿脱口２８が開放して、電源スイッチ４３やサービススイッチ４４は前側に露出するから、該挿脱口２８を介して容易に操作することができる。【００３５】
すなわち、実施例の製氷機１０では、前記フィルタ３４の取付け用の挿脱口２８を、前記電源スイッチ４３やサービススイッチ４４の操作用の開口部として兼用すると共に、フィルタ３４の基部３８を、操作用の開口部を開閉する開閉扉として用いている。従って、フロントパネル２０には、電源スイッチ４３やサービススイッチ４４を操作するための専用の開口部および専用の開閉扉を設ける必要はなく、構造を簡略化することができ、製造コストを低廉に抑えることができる。【００３６】
前記電源スイッチ４３やサービススイッチ４４を操作する際、または前記凝縮器１７の使用に伴い、前記フィルタ３４に経時的に埃が付着して目詰りを生じたり、あるいは定期点検の要請のため、フィルタ３４の清掃や交換を要するときは、前記フィルタ３４の手掛け部３８ｂに手指を引掛けて、フィルタ３４を挿脱口２８から斜め上方に引き抜くことで、該フィルタ３４をフロントパネル２０から極めて簡単に取外すことができる。この場合において、挿脱口２８は上壁２９の凹部２９ａを介して上方にも開放しているから、挿脱口２８からのフィルタ３４の引き抜きは容易に行ない得る。すなわち、例えば挿脱口２８が前方にのみ開放している場合には、該挿脱口２８に嵌り込んでいる基部３８を挿脱口２８から引き出すために、該基部３８のみを前側に大きく弾性変形させる必要があり、基部３８と本体３５との連接部に無理な力が加わる。しかるに、実施例では挿脱口２８は凹部２９ａを介して上方にも開放しているから、基部３８を大きく弾性変形させることなく挿脱口２８から引き出すことができるものである。なお、前述したようにフロントパネル２０に対するフィルタ３４の挿入および引き抜きの作業は容易であるから、前記電源スイッチ４３やサービススイッチ４４の操作を必要とする際のフィルタ３４の脱着作業が煩わしいものとはならない。【００３７】
前記製氷機１０の運転により前記前カバー部材１５の前面に発生した結露水は、該カバー部材１５の下端まで流下した後に、下面を伝って筐体１１の前板２２に至り、前記電装箱４２の配設位置まで流下する。また前板２２に直接発生した結露水も、電装箱４２の配設位置まで流下する。この場合において、図４に示す如く、前記電源スイッチ４３やサービススイッチ４４の配設部より上方には、前方に延出する前記庇部４５が設けられているから、前板２２の前面を流下する結露水が、電源スイッチ４３やサービススイッチ４４の配設部に至るのを該庇部４５で防ぐことができる。すなわち、電源スイッチ４３やサービススイッチ４４の配設部から結露水が電装箱内に侵入するのを防止して、内部の電気部品の腐食や漏電等の発生を防止し得る。更に、庇部４５の上面を上方傾斜させているから、庇部４５の上傾斜面４５ａに至った結露水が前側に流れて、前面側から電源スイッチ４３やサービススイッチ４４の配設部に至ることはない。また、庇部４５の前端には水切部４５ｂが形成されているから、仮に庇部４５の前面に結露水が付着した場合であっても、水切部４５ｂの下端まで流下した結露水が庇部４５の下面を伝って電源スイッチ４３やサービススイッチ４４の配設部側に伝わることもない。【００３８】
なお、前記機械室１４に配設した冷却機構１３等のメンテナンスに際し、前記筐体１１からフロントパネル２０を取外す際には、フロントパネル２０と前カバー部材１５との間に、前記隙間Ｓを介して前側からマイナスドライバー等の工具を挿入して、前記各係止孔１５ｃに対する係止爪２９ｂの係止状態を夫々解除する。そして、フロントパネル２０の上部を、前カバー部材１５より前方に至るまで傾動させた後、該フロントパネル２０を持ち上げて前記支持板２３の係合片２３ａを前記下壁３３の係合孔３３ａから抜くことで、フロントパネル２０を筐体１１から取外して開口部１１ａを開放することができる。この場合において、実施例ではネジ等の固定手段を用いることなくフロントパネル２０の筐体１１に対する着脱が可能に構成されている。但し、前記隙間Ｓの上下寸法を、手指が入らない寸法に設定してあるから、該隙間Ｓに差し込み得る工具を用いない限り、フロントパネル２０は取外すことができず、不必要な機械室内へのアクセスを抑制することができる。【００３９】
〔変更例〕
本願は前述した実施例の構成に限定されるものでなく、その他の構成を適宜に採用することができる。
１． 実施例では、電装箱に配設される操作部材として、電源スイッチやサービススイッチを挙げたが、これに限定されるものではなく、製氷時間や製氷水を全排出するサイクル数等、その他各種条件を設定する設定ダイヤルやヒューズ等であってもよい。
２． 実施例では、フロントパネルに吸込部としての吸込用ルーバと吐出部としての吐出用ルーバとを並んで設けた場合で説明したが、フロントパネルには吸込部のみが設けられていればよく、吐出部については筐体の側板、裏板、台板等、その他の部位に設けられるものであってもよい。
３． 実施例では、外部空気の吸込部としてルーバを採用したが、複数の通孔を穿設した構成であってもよい。
４． 実施例では、フィルムの左右両側に防止片を設けたが、該防止片の配設数や配設位置は実施例に限定されるものではなく、本体を構成する下側で横方向に延在する枠材に設けてもよい。
５． 実施例では、機械室が筐体の下側に画成される装置で説明したが、該機械室が筐体の上側に画成される装置であってもよい。
【図１】
2008038341.tif 000003
【図２】
2008038341.tif 000004
【図３】
2008038341.tif 000005
【図４】
2008038341.tif 000006
【図５】
2008038341.tif 000007
【図６】
2008038341.tif 000008
【図７】
2008038341.tif 000009
【図８】
2008038341.tif 000010
【図９】
2008038341.tif 000011
【国際調査報告】
2008038341.tif 000012
2008038341.tif 000013
2008038341.tif 000014
2008038341.tif 000015